(57)【要約】【課題】切断刃の刃入れ回数を１回として切断工程の簡略化を図ることのできる取っ手の製造方法を提供すること。【解決手段】人の手指をかけるための指かかり片８と、この指かかり片を一端部において支持する支持片９と、この支持片の背面９ａと略同一平面上に配置された正面２３ａを有し、支持片の一端部と対向して配置された他端部から延設された取付片２３とを備え、長尺物である金具部７ａを有する取っ手７の製造において、取付片の長さ方向の両端部を切断して除去する際に、金具部の背面側において、支持片の他端部側から取付片の先端部側に向かって斜めに切断刃４０を入れる。【選択図】図１
2013162902.tif 000002
【特許請求の範囲】
【請求項１】
人の手指をかけるための指かかり片と、この指かかり片を一端部において支持する支持片と、この支持片の背面と略同一平面上に配置された正面を有し、前記支持片の前記一端部と対向して配置された他端部から延設された取付片とを備え、長尺物である金具部を有する取っ手を製造する取っ手の製造方法であって、
前記取付片の長さ方向の両端部を切断して除去する際に、前記金具部の背面側において、前記支持片の前記他端部側から前記取付片の先端部側に向かって斜めに切断刃を入れる
ことを特徴とする取っ手の製造方法。
【発明の詳細な説明】
【技術分野】
【０００１】
本発明は、収納家具に設けられた扉を開閉操作する取っ手の製造方法に関する。
【背景技術】
【０００２】
厨房装置や洗面化粧台などとして用いられる収納家具における箱状のキャビネットに設けられた扉では、人が手指をかけて扉を前後に操作し、開閉することができるようにした取っ手が設けられている。この取っ手の中には、扉の前板の表面側に突出せず、前板の上端面に沿ってその長さ方向に取り付けられた、いわゆるライン取っ手と称されるものがある。
【０００３】
たとえば、下記特許文献１には、たとえばアルミニウムなどの金属材料から押出成形された、長尺の部材である取手部材と、この取手部材の長手方向の両端に嵌合して固定される、樹脂製などのサイドキャップとから構成された扉用金属製取手が記載されている。この扉用金属製取手では、取手部材は、前垂れ片、水平片および後片からなる断面フック状の指掛部と、扉の上端面に当接可能とされた扉端面当接部と、この扉端面当接部の後方から垂下し、扉裏面に当接可能とされた後壁とからなっている。このような扉用金属製取手は、扉端面当接部を扉の上端面に当接させ、かつ扉の裏面に後壁の内面を当接させて、ビスなどの固着具によって扉に取り付けられる。
【０００４】
一方、収納家具については、扉の閉時に、キャビネットの前端面と扉の裏面との間に隙間が形成され、この隙間を通じて埃や塵、また、害虫が侵入するのを抑制し、密閉性を高めることが要求される。密閉性の高い収納家具を実現するためには、上記扉用金属製取手において、上記後壁が、扉の閉時に、キャビネットの前端面に接触しないようにすることが必要とされる。このため、扉の取っ手における金属材料から形成される金具部については、取っ手の製造に際し、押出成形された金具部の長手方向の両端部に位置する、上記取手部材の上記後壁に相当する部分を切断して除去している。
【先行技術文献】
【特許文献】
【０００５】
【特許文献１】特開２０１０−７５５９０号公報
【発明の概要】
【発明が解決しようとする課題】
【０００６】
そのような切断では、一般に、被切断部に対して切断刃を上から垂直に入れている。この場合、被切断部を切断刃により一気に切断してしまうと、特許文献１に記載された取手部材における後片に相当する部分にバリが発生する可能性がある。そこで、切断刃は、後片に相当する部分の最も後壁寄りの端部ぎりぎりのところで止めている。この後、後片に相当する部分の最も後壁寄りの端部において、後壁の厚み相当分だけ残った部分を、新たに切断刃を水平に入れて除去している。このため、扉の取っ手の金具部における被切断部の切断には、都合２回の切断刃の刃入れが必要となっており、工程の簡略化が望まれる。
【０００７】
本発明は、以上のとおりの事情に鑑みてなされたものであり、切断刃の刃入れ回数を１回として切断工程の簡略化を図ることのできる取っ手の製造方法を提供することを課題としている。
【課題を解決するための手段】
【０００８】
上記の課題を解決するために、本発明の取っ手の製造方法は、人の手指をかけるための指かかり片と、この指かかり片を一端部において支持する支持片と、この支持片の背面と略同一平面上に配置された正面を有し、支持片の一端部と対向して配置された他端部から延設された取付片とを備え、長尺物である金具部を有する取っ手を製造する取っ手の製造方法であって、取付片の長さ方向の両端部を切断して除去する際に、金具部の背面側において、支持片の他端部側から取付片の先端部側に向かって斜めに切断刃を入れることを特徴とする。
【発明の効果】
【０００９】
本発明の取っ手の製造方法によれば、切断刃の刃入れ回数を１回として切断工程の簡略化を図ることができる。
【図面の簡単な説明】
【００１０】
【図１】本発明の取っ手の製造方法の一実施形態を示した要部斜視図である。
【図２】図１に示した取っ手の製造方法を別の方向から示した要部斜視図である。
【図３】図１に示した取っ手の製造方法を金具部の側面から示した要部側面図である。
【図４】図１に示した取っ手の製造方法によって製造された金具部を示した斜視図である。
【図５】図４に示した金具部を拡大して示した要部斜視図である。
【図６】図４に示した金具部を有する取っ手を扉に取り付けた状態を示した斜視図である。
【発明を実施するための形態】
【００１１】
図１は、本発明の取っ手の製造方法の一実施形態を示した要部斜視図である。図２は、図１に示した取っ手の製造方法を別の方向から示した要部斜視図である。図３は、図１に示した取っ手の製造方法を金具部の側面から示した要部側面図である。
【００１２】
図１、図２および図３に示したように、取っ手７の金具部７ａは、長尺物であり、金具部７ａは、人の手指をかけるための指かかり片８と、指かかり片８を、一端部である上端部１７において支持する支持片９とを備えている。また、金具部７ａは、支持片９の上端部１７と対向して配置された他端部である下端部１８から下方に延設された取付片２３を備えている。
【００１３】
指かかり片８は、支持片９の上端部１７から支持片９の正面側に延びる水平片１１と、水平片１１の先端部から支持片９と対向して下方に延びる垂れ片１２とを有している。これらの水平片１１および垂れ片１２によって、指かかり片８は、断面形状が略Ｌ字型に形成されている。また、垂れ片１２では、その上端から下端にかけて表面１３が支持片９側に向かって傾斜し、傾斜面１４が形成されている。傾斜面１４によって、取っ手７を斜め上から見た場合に、垂れ片１２があまり目立たないようになっている。また、垂れ片１２の先端部の裏面１５には、支持片９側に向かって湾曲して突出する膨出部１６が設けられている。膨出部１６の丸みのある形状によって、人の手指が、指かかり片８に柔らかく当たるようになっている。
【００１４】
支持片９は、上端部１７から下端部１８にかけて略平板状の形状を有している。一方、下端部１８は、上端部１７と比較すると、若干肉厚とされている。それでも下端部１８の厚さは、最大でおよそ４mm程度に抑えられており、取っ手７が取り付けられる扉の前板の厚さよりも薄くなっている。このように薄く、略平板状の形状を有している支持片９では、従来のいわゆるライン取っ手について指摘される光の映り込みによる１本または複数本の筋の形成が軽減され、取っ手７が扉の前板に取り付けられたときに、支持片９の存在があまり目立たないようになっている。
【００１５】
また、支持片９の背面９ａには、段部１９としての凹溝２０が形成されている。凹溝２０は、金具部７ａの長さ方向の両端部に、金具部７ａの長さ方向の端面を美麗に納めるためのエンドキャップを取り付ける際に使用されるものであり、凹溝２０は、金具部７ａの長さ方向に沿って延びている。凹溝２０の断面形状は、図３の図中に拡大して示したように、支持片９の背面９ａ側の幅が狭く、奥側に向かうにつれて幅が広くなった、断面略台形状とされている。凹溝２０の深さは1.5mm程度とされている。このように凹溝２０は浅いため、支持片９の背面９ａにおいて露出しても、凹溝２０は目立ちにくくなっている。しかも、凹溝２０では、略台形の角稜部に相当する部分２１が円弧状に形成されている。このため、人の手指が取っ手７に触れる際に、凹溝２０の縁部によって怪我をするおそれが軽減され、また、凹部２０の存在がさらに目立ちにくいものとなっている。
【００１６】
取付片２３は、支持片９の背面９ａと略同一平面上に配置された正面２３ａを有し、略平板状に形成されている。取付片２３は、取っ手７を扉の前板に取り付ける際に、金具部７ａにおいて前板の上端部の裏面に当接する部分である。取付片２３では、金具部７ａの固定のために使用されるねじなどの固着具が挿入される円形の挿入孔が、穴あけ加工により形成される。形成された挿入孔を通じて固着具がねじ込まれ、または打入されるなどして金具部７ａは、扉の前板の上端部に固定される。取付片２３の正面２３ａは、支持片９の背面９ａと略同一平面上に配置されているので、金具部７ａが扉の前板の上端部に固定されたとき、支持片９は、扉の前板において化粧の施された上端面上に配置される。
【００１７】
このような取っ手７の金具部７ａは、アルミニウムなどの金属材料の押出成形品であり、押出成形時に、指かかり片８、支持片９および取付片２３が一体に形成される。取っ手７の製造では、押出成形され、指かかり片８、支持片９および取付片２３が一体に形成された金具部７ａにおいて、長さ方向の両端部に位置する取付片２３が、切断刃４０により切断され、除去される。このような取付片２３の切断および除去は、扉が閉められたときに、キャビネットの前端面に設けられたパッキンに取付片２３が接触し、この接触によって扉の裏面とパッキンとの間に隙間が形成され、収納家具の密閉性が低下することを抑制するために必要とされるものである。
【００１８】
図１、図２および図３に示した取っ手７の製造方法では、取付片２３の長さ方向の両端部を切断して除去する際に、金具部７ａの背面側において、支持片９の下端部１８側から取付片２３の先端部側に向かって斜めに切断刃４０を入れる。このように、切断刃４０を、支持片９の下端部１８側から取付片２３の先端部側に向かって斜めに入れることによって、切断刃４０の刃入れ回数が１回だけであっても、支持片９の下端部１８における切断部分にバリが発生するのが抑制される。取付片２３の長さ方向の両端部の切断刃４０による切断および除去は、良好な品質で実現され、切断工程の簡略化が図れる。
【００１９】
図４は、図１に示した取っ手の製造方法によって製造された金具部を示した斜視図である。図５は、図４に示した金具部を拡大して示した要部斜視図である。
【００２０】
図４および図５に示したように、長尺物である金具部７ａでは、長さ方向の両端部において取付片２３が存在せず、取付片２３は、支持片９の全長よりも短くなっている。このように、金具部７ａでは、長さ方向の両端部以外の中間部に取付片２３が配置されているので、取っ手７が前板に取り付けられた扉の閉時に、取付片２３が、キャビネットの前端面に設けられたパッキンに接触することがない。このため、扉の前板とパッキンとの間に取付片２３に起因する隙間は発生せず、収納家具の密閉性が高められる。
【００２１】
また、図１、図２および図３に示したように、取付片２３の切断および除去の際に、取付片２３といっしょに切断刃４０により切断される支持片９の下端部１８における背面９ａ側の部分には、図４および図５に示したように、バリが発生しないばかりでなく、面取り部２２が形成される。面取り部２２の形成は、切断刃４０が、金具部７ａの背面側において、支持片９の下端部１８側から取付片２３の先端部側に向かって斜めに入ることによるものである。扉の閉時には、金具部７ａの支持片９の背面９ａは、キャビネットの前端面に設けられたパッキンに接触するが、支持片９の接触にともないパッキンが傷つくのを面取り部２２が抑制する。また、面取り部２２は、取っ手７の取付作業時に作業者が怪我をするおそれを軽減する。
【００２２】
なお、取付片２３の切断および除去の際には、切断および除去後に残る取付片２３の長さ方向の両端の角部に切欠部２４を同時に形成することもできる。切欠部２４は、角部の先端が尖ることによって扉の前板の裏面が傷つくのを抑制し、また、取っ手７の取付作業時に作業者が怪我をするおそれを軽減するなどに有効となるものである。このような切欠部２４は、取付片２３の下端部において内側に向かうように斜めに形成される。
【００２３】
取付片２３の切断および除去が行われた後には、ねじなどの固着具を挿入するための円形の挿入孔３２が、切断および除去後に残る取付片２３の長さ方向の両端部に１つずつ形成される。挿入孔３２は、取付片２３の厚さ方向に貫通して形成される。
【００２４】
図６は、図４に示した金具部を有する取っ手を扉に取り付けた状態を示した斜視図である。
【００２５】
取っ手７を扉３０の前板６に取り付ける際には、金具部７ａの支持片９の下端部１８を前板６の上端面６ａ上に載置し、取付片２３の正面２３ａを前板６の上端部の裏面に当接させる。この状態において、ねじなどの固着具３１を取付片２３の背面側から、図４および図５に示した挿入孔３２を通じてねじ込みまたは打入するなどして金具部７ａを前板６に固定する。金具部７ａの支持片９は、厚さの薄いものであるため、支持片９の下端部１８が配置された前板６の上端面６ａに形成された化粧面は、支持片９の下端部１８を除いて露出する。このため、取っ手７の取り付けにともなう前板６の質感の低下は抑制される。金具部７ａの固定後、金具部７ａの長さ方向の両端部にエンドキャップ１０が取り付けられる。
【００２６】
エンドキャップ１０は樹脂製であり、端面部２５は、金具部７ａの長さ方向の両端面を覆う形状を有している。すなわち、エンドキャップ１０の端面部２５の形状は、断面略Ｌ字型の形状を有する指かかり片８と、指かかり片８を上端部１７で支持する支持片９とから形成される端面形状に一致している。また、エンドキャップ１０では、端面部２５の下端部に略平板状の係合ボス部２７が設けられている。係合ボス部２７は、金具部７ａの支持片９の背面９ａに形成された段部１９としての凹溝２０と相補的な断面形状を有し、端面部２５の下端部から水平に突設されている。エンドキャップ１０の金具部７ａへの取り付けの際に、係合ボス部２７は凹溝２０に圧入され、エンドキャップ１０は、係合ボス部２７を形成する樹脂材料が有する弾性によって金具部７ａに強固に固定される。こうして、金具部７ａの長さ方向の両端面は、エンドキャップ１０によって覆われ、美麗に納められる。また、凹溝２０に圧入された係合ボス部２７の背面は、金具部７ａの支持片９の背面９ａと略面一に配置される。このため、エンドキャップ１０が取り付けられても、扉３０の閉時に、係合ボス部２７の背面はキャビネットの前端面に設けられたパッキンに、金具部７ａの支持片９の背面９ａと同じように当接し、係合ボス部２７とパッキンの間に隙間が形成されるのが抑制される。収納家具の密閉性は高く保持される。
【００２７】
本発明は、以上の実施形態によって限定されるものではない。取っ手の金具部や切断刃の材質、形状および大きさなどについては、様々な態様が可能である。
【符号の説明】
【００２８】
７  取っ手
７ａ  金具部
８  指かかり片
９  支持片
９ａ  背面
１７  上端部（一端部）
１８  下端部（他端部）
２３  取付片
２３ａ  正面
４０  切断刃
【図１】
2013162902.tif 000003
【図２】
2013162902.tif 000004
【図３】
2013162902.tif 000005
【図４】
2013162902.tif 000006
【図５】
2013162902.tif 000007
【図６】
2013162902.tif 000008